(57)【要約】【課題】矯正対象となる歯にトルクを付与する歯列矯正装置を提供する。【解決手段】電流生成部３０は、直流電流をコイル２０に流し、コイル２０に磁界を発生させる。人物Ｚの矯正対象となる歯３ａには、永久磁石１０が取り付けられている。そのため、永久磁石１０のＳ極とＮ極に正反対の力が加わり、歯３ａに対して回転を誘発するようなトルクが付与され、歯３ａが矯正される。【選択図】図１
2007260159.tif 000002
【特許請求の範囲】
【請求項１】
矯正対象の歯の複数点に機械的刺激を与えて、前記矯正対象の歯を矯正するためのトルクを前記矯正対象の歯に付与するトルク付与手段と、
前記トルク付与手段が歯にトルクを付与するように前記トルク付与手段を駆動する駆動手段とを備えることを特徴とする歯列矯正装置。
【請求項２】
前記トルク付与手段は磁性体により構成され、
前記駆動手段は、前記磁性体に磁界を付与し、前記トルク付与手段を駆動させることを特徴とする請求項１記載の歯列矯正装置。
【請求項３】
前記トルク付与手段は、前記矯正対象の歯を含む１又は複数の歯に装着されるマウスピースに取り付けられていることを特徴とする請求項１又は２記載の歯列矯正装置。
【請求項４】
前記複数の作用点は、前記矯正対象の歯の一方の面に存在する第１の作用点と、前記一方の面であって、前記第１の作用点とは異なる位置に存在する第２の作用点とを含み、
前記トルク付与手段は、前記第１の作用点と前記第２の作用点とに対して逆方向の力を付与することを特徴とする請求項１〜３のいずれかに記載の歯列矯正装置。
【請求項５】
前記複数の作用点は、前記矯正対象の歯の一方の面に存在する第１の作用点と、前記一方の面に対して反対側の面に存在する第２の作用点とを含み、
前記トルク付与手段は、前記第１の作用点と前記第２の作用点とに対して逆方向の力を付与することを特徴とする請求項１〜３のいずれかに記載の歯列矯正装置。
【発明の詳細な説明】
【技術分野】
【０００１】
本発明は、人物等の動物の歯列を矯正する歯列矯正装置に関するものである。
【背景技術】
【０００２】
従来、歯列矯正装置としては、ワイヤーやマウスピースを用いたものがあり、ワイヤーやマウスピースの戻り力で歯列に一定力を付与し、歯並びや噛み合わせを治すようにしたものが知られている。すなわち、歯列に一定力を付与すると、歯茎の中で歯を支えている歯槽骨が徐々に変形するという原理により歯列矯正を行う。また、近年、矯正時間の短縮化を目的として、種々の研究がなされており、例えば特許文献１では、正しい噛み合わせの形状を有するマウスピースを患者に装着し、このマウスピースと電気的に接続された超音波モータによりマウスピースに振動を与える手法が開示されている。
【特許文献１】米国特許第４３４８１７８号公報
【発明の開示】
【発明が解決しようとする課題】
【０００３】
しかしながら、従来の歯列矯正装置では、矯正対象となる捻れを元に戻すようなトルクを付与するものは存在していなかった。また、特許文献１の手法では、マウスピースに超音波モータが電気的に接続されているため、マウスピースと超音波モータとを接続する配線等が口の中に入ってしまい、患者に苦痛を与えるという問題がある。
【０００４】
本発明の目的は、付き方が捻れているような歯に対してその捻れを元に戻すようなトルクを付与する歯列矯正装置を提供することである。
【課題を解決するための手段】
【０００５】
本発明による歯列矯正装置は、矯正対象の歯の複数点に機械的刺激を与えて、前記矯正対象の歯を矯正するためのトルクを前記矯正対象の歯に付与するトルク付与手段と、前記トルク付与手段が歯にトルクを付与するように前記トルク付与手段を駆動する駆動手段とを備えることを特徴とする。
【０００６】
この構成によれば、トルク付与手段は、駆動手段からの駆動力を受け、矯正対象となる歯に対し、当該歯の複数点に機械的刺激を与えて、当該歯にトルクを付与しているため、矯正対象となる歯に対してトルクを付与する歯列矯正装置を提供することができる。
【０００７】
また、上記構成において、前記トルク付与手段は磁性体により構成され、前記駆動手段は、前記磁性体に磁界を付与し、前記トルク付与手段を駆動させることが好ましい。
【０００８】
この構成によれば、トルク付与手段は磁性体により構成されているため、当該磁性体に対して一方向の磁界を付与すると、Ｓ極とＮ極とで、正反対の力が発生し、矯正対象となる歯に対して、安定したトルクを付与することができる。また、磁性体は磁界を介して駆動されるため、トルク付与手段と駆動手段とを非接触で構成することができ、歯に装着されるトルク付与手段に電気的配線等が不要となる結果、治療の際の患者の負担を軽減することができる。
【０００９】
また、上記構成において、前記トルク付与手段は、前記矯正対象の歯を含む１又は複数の歯に装着されるマウスピースに取り付けられていることが好ましい。
【００１０】
この構成によれば、マウスピースに取り付けられているため、トルク付与手段の歯の装着が容易となる。
【００１１】
また、上記構成において、前記複数の作用点は、前記矯正対象の歯の一方の面に存在する第１の作用点と、前記一方の面であって、前記第１の作用点とは異なる位置に存在する第２の作用点とを含み、前記トルク付与手段は、前記第１の作用点と前記第２の作用点とに対して逆方向の力を付与することが好ましい。
【００１２】
この構成によれば、歯に対して確実にトルクを付与することができる。
【００１３】
また、上記構成において、前記複数の作用点は、前記矯正対象の歯の一方の面に存在する第１の作用点と、前記一方の面に対して反対側の面に存在する第２の作用点とを含み、前記トルク付与手段は、前記第１の作用点と前記第２の作用点とにそれぞれ逆方向の力を付与することが好ましい。
【００１４】
この構成によれば、歯に対して確実にトルクを付与することができる。
【発明の効果】
【００１５】
本発明による歯列矯正装置によれば、歯に対してトルクを付与するような歯列矯正装置を提供することができる。
【発明を実施するための最良の形態】
【００１６】
図１は、本発明の実施の形態による歯列矯正装置１の全体構成図を示している。歯列矯正装置１は、永久磁石（磁性体）１０、コイル２０、及び電流生成部３０を備えている。永久磁石１０は、人物Ｚの矯正対象となる歯３ａに取り付けられ、コイル２０により発生した磁界によって歯３ａにトルク（ねじりモーメント）を与える。なお、永久磁石１０としては、鉄を含むフェライト磁石や、最大エネルギー積（ＢＨ）ｍａｘ［Ｊ／ｍ３］の非常に大きなネオジウム−鉄−ボロン系やサマリウム−コバルト系の希土類の磁石などを用いることが好ましい。また、歯に対する永久磁石１０の取り付け方法は、歯科用のボンド等を用いて直接貼り付けても良いし、ワイヤーを用いて歯に固定してもよい。いずれにせよ、歯に対して、永久磁石１０による力を作用させることができる方法であれば、どのような方法を採用してもよい。また、永久磁石１０は円筒状又は角柱状等の形状を有している。
【００１７】
コイル２０は、円形コイルから構成され、軸心Ｃ１が水平方向を向くように配設され、電流生成部３０により生成された電流により磁界を発生させ、永久磁石１０にトルクを付与する。詳細には、コイル２０は、筒状のボビン２２と、ボビン２２に対して所定の巻き数で巻き回された電線２１とを備えている。ボビン２２の直径は、人物Ｚの顔の断面のサイズよりも大きなサイズである。電流生成部３０は、コイル２０に直流電流を供給することにより、コイル２０に磁界を発生させる。
【００１８】
以上により構成された歯列矯正装置１において、マウスピース４０を装着した人物Ｚは、コイル２０の軸心Ｃ１上であって、コイル２０の中心に口が位置するように、コイル２０内に顔を入れる。これにより、マウスピース４０に取り付けられた永久磁石１０に磁界が作用し、永久磁石１０にトルクを付与し、永久磁石１０は、矯正対象となる歯に対してトルクを付与する。
【００１９】
なお、図１において、人物Ｚを横たわらせるベッドを配設してもよい。この場合、ベッドの高さは、コイル２０の中心軸付近の磁界が安定しているため、人物Ｚの口がコイル２０の中心軸上に位置するような高さを有することが好ましい。また、図１において、コイル２０の軸心Ｃ１が鉛直方向を向くようにコイル２０を配設してもよい。この場合、人物Ｚは、起立姿勢でコイル２０の内部に顔を入れるようになる。そして、この場合、人物Ｚの身長に合わせて、コイル２０の高さが調節可能な調節機構（図略）をコイル２０に取り付けてもよい。更に、コイル２０の軸心Ｃ１が鉛直方向を向くようにコイル２０を配設する場合、人物Ｚを起立させるのではなく、椅子に座らせても良い。こうすることで、人物Ｚの負担をより軽減させることができる。
【００２０】
図２は、電流生成部３０の詳細な構成を示すブロック図である。電流生成部３０は、制御装置３１、Ｄ／Ａコンバータ３２、及びアンプ３３を備えている。制御装置３１は、液晶パネル等の表示装置、マウス及びキーボード等の入力装置、ＣＰＵ、ＲＯＭ、ＲＡＭ、並びにハードディスク等を備えるパーソナルコンピュータから構成されている。
【００２１】
ハードディスクには、入力装置を用いて入力されたコイル２０に流す直電流の値を設定するための電流設定プログラムが記憶されており、ＣＰＵはこの電流設定プログラムを実行することで、ユーザにより設定された電流の大きさを定めるデジタルの電流データをＤ／Ａコンバータ３２に出力する。
【００２２】
Ｄ／Ａコンバータ３２は、制御装置３１と、例えばＵＳＢケーブルを介して接続され、制御装置３１から出力された電流データを、デジタル／アナログ変換して直流電流として、アンプ３３に出力する。アンプ３３は、Ｄ／Ａコンバータ３２から出力された直流電流を所定の利得で増幅し、コイル２０に出力する。
【００２３】
図３は、矯正対象となる歯３ａに対して、長手方向が正面視で左右方向に向くように永久磁石１０を取り付けたときの歯３ａを示した図であり、（ａ）は歯３ａの左側面図を示し、（ｂ）は歯３ａの上面からの断面図を示し、（ｃ）は歯３ａの正面図を示している。図３において、ｚ方向は歯３ａが伸びる方向を示し、ｘ，ｙ，ｚ方向は各々直交する。図３の場合、（ｂ）に示すように、歯３ａに対して上面視で右回りのトルクを与え、歯３ａの右回りへの回転を誘発させ、実線で示す現在の歯３ａの向きを、所定角度右回りに回転させた点線で示す歯３ａの向きに移動させる。
【００２４】
そのためには、図３（ｃ）に示すように、Ｎ極が歯３ａ表面の左端側に位置し、Ｓ極が歯３ａ表面の右端側に位置するように（磁気モーメントＭが正面視で右側から左側に向かうように）永久磁石１０を配設し、歯３ａの表面から裏面への方向（＋ｙ方向）に磁界Ｈを付与する。これにより、歯３ａは、（ｂ）に示すように、永久磁石１０のＮ極が位置する表面の作用点Ｐ１に、＋ｙ方向に向かう力Ｆｎが付与され、Ｓ極に位置する表面の作用点Ｐ２に、−ｙ方向に向かう力Ｆｓが付与され、上面視で右回りのトルクが付与される。これにより、歯３ａは、上面視で右回りへの回転が誘発され、最終的に、実線で示す向きから点線で示す向きに移動し、歯３ａの捻れが矯正される。なお、歯３ａの表面とは、歯３ａの唇側の面を示し、歯３ａの裏面とは、歯３ａの舌側の面を示す。
【００２５】
また、図３に示すように、磁気モーメントＭの向きに対して、磁界Ｈを直交させるためには、磁気モーメントＭの方向と、磁界Ｈの方向とが直交するように、コイル２０内での人物Ｚの顔の向きを定めればよい。この顔の向きは、磁界Ｈの方向と、磁気モーメントＭの方向とが事前に分かっているため、容易に定めることができる。また、歯の裏側に長手方向が左右方向となり、Ｎ極が正面視で歯３ａの左側となり、Ｓ極が正面視で歯３ａの右側となるように永久磁石１０を取り付けても、図３と同様のトルクを歯３ａに付与することができる。
【００２６】
図４は、矯正対象となる歯３ａに対して、長手方向が正面視で上下方向となるように永久磁石１０を取り付けたときの歯３ａを示した図であり、（ａ）は歯３ａの左側面図を示し、（ｂ）は歯３ａの上面からの断面図を示し、（ｃ）は歯３ａの正面図を示している。なお、図４に示すｘ〜ｚ方向は図３に示す方向と同一であるため、説明を省く。図４の場合、（ａ）に示すように、歯３ａに対して左側面視で左回りのトルクを付与して、歯３ａに左回りへの回転を誘発させ、実線で示す現在の歯３ａの向きを、所定角度左回りに回転させた点線で示す歯３ａの向きに移動させる。
【００２７】
そのためには、図４（ａ）に示すように、Ｎ極が左側面視で上端に位置し、Ｓ極が左側面視で下側に位置するように（磁気モーメントＭが左側面視で下側から上側に向かうように）、永久磁石１０を、歯３ａの表面に取り付ける。そして、歯３ａの裏面から表面に向かう方向（−ｙ方向）に磁界Ｈを付与する。これにより、歯３ａは、（ａ）に示すように、永久磁石１０のＮ極が位置する表面の作用点Ｐ１に、−ｙ方向に向かう力Ｆｎが付与され、Ｓ極に位置する歯３ａの表面の作用点Ｐ２に、＋ｙ方向に向かう力Ｆｓが付与され、歯３ａには、左側面視で左回りのトルクが付与される。その結果、歯３ａは、側面視で左回りへの回転が誘発され、最終的に、実線で示す向きから点線で示す向きに移動し、捻れが矯正される。
【００２８】
なお、図４に示すように、磁気モーメントＭの向きに対して、磁界Ｈを直交させるためには、磁気モーメントＭの方向と、磁界Ｈの方向とが直交するように、コイル２０内での人物Ｚの顔の向きを定めればよい。
【００２９】
図５は、矯正対象となる歯３ａに対して、長手方向が正面視で上下方向を向くように永久磁石１０を取り付けたときの歯３ａを示した図であり、（ａ）は歯３ａの左側面図を示し、（ｂ）は歯３ａの上面からの断面図を示し、（ｃ）は歯３ａの正面図を示している。図５に示すｘ〜ｚ方向は図３に示す方向と同一であるため、説明を省く。図５の場合、（ｃ）に示すように、歯３ａに対して正面視で左回りのトルクを与えて、歯３ａの左回りに回転を誘発させ、実線で示す現在の歯３ａの向きを、所定角度左回りに回転させた点線で示す歯３ａの向きに移動させる。
【００３０】
そのためには、図５（ｃ）に示すように、Ｎ極が正面視で上端に位置し、Ｓ極が正面視で下側に位置するように（磁気モーメントＭが正面視で下側から上側に向かうように）、永久磁石１０を歯３ａの表面に取り付ける。そして、歯３ａに対して、正面視で右側から左側に向かう方向（−ｘ方向）に磁界Ｈを付与する。これにより、歯３ａは、（ｃ）に示すように、永久磁石１０のＮ極が位置する表面の作用点Ｐ１に、正面視で左方向（−ｘ方向）に向かう力Ｆｎが付与され、Ｓ極に位置する表面の作用点Ｐ２に、正面視で右方向（＋ｘ方向）に向かう力Ｆｓが付与され、歯３ａには、正面視で左回りのトルクが付与され、傾斜移動を促すような力が働く。その結果、歯３ａは、正面視で左回りへの回転が誘発され、最終的に、実線で示す向きから点線で示す向きに移動し、捻れが矯正される。
【００３１】
なお、図５に示すように、磁気モーメントＭの向きに対して、磁界Ｈを直交させるためには、磁気モーメントＭの方向と、磁界Ｈの方向とが直交するように、コイル２０内での人物Ｚの顔の向きを定めればよい。
【００３２】
図６は、矯正対象となる歯３ａに対して、２個の永久磁石１０を取り付けたときの歯３ａを示した図であり、（ａ）は歯３ａの左側面図を示し、（ｂ）は歯３ａの上面から断面図を示し、（ｃ）は歯３ａの正面図を示している。図６に示すｘ〜ｚ方向は図３に示す方向と同一であるため、説明を省く。図６の場合、（ｂ）に示すように、歯３ａに対して上面視で右回りのトルクを付与して、歯３ａに右回りへの回転を誘発させ、実線で示す現在の向きを、所定角度右回りに回転させた点線で示す歯３ａの向きに移動させる。
【００３３】
そのためには、図６（ｂ）に示すように、歯３ａの表面の左端側に、磁気モーメントＭが上面視で左側から右側（＋ｘ方向）に向かうように永久磁石１０１を取り付けると共に、歯３ａの裏面の右端側に、磁気モーメントＭが上面視で左側から右側（＋ｘ）方向に向かうように、永久磁石１０２を取り付ける。そして、歯３ａの裏面側から表面側の方向（−ｙ方向）に磁界Ｈを付与する。これにより、歯３ａは、（ｂ）に示すように、永久磁石１０２のＮ極が位置する歯３ａの裏面の作用点Ｐ１に、歯３ａの裏面から表面の方向（−ｙ方向）に力Ｆｎが付与され、永久磁石１０１のＳ極に位置する歯３ａの表面の作用点Ｐ２に、表面から裏面の方向（＋ｙ方向）に力Ｆｓが付与され、歯３ａには、上面視で右回りのトルクが付与される。その結果、歯３ａは、上面視で右回りへの回転が誘発され、最終的に、歯３ａの向きは、実線で示す向きから点線で示す向きに移動し、歯３ａの捻れが矯正される。
【００３４】
なお、図６に示す永久磁石１０１，１０２は、人物Ｚが歯に装着するマウスピース４０に取り付けられている。図７は、永久磁石１０１，１０２が取り付けられるマウスピース４０を表側から見たときの分解斜視図を示している。また、図８は、マウスピース４０を裏側から見たときの分解斜視図を示している。マウスピース４０は、歯列３に直接被せる内側マウスピース４３と、内側マウスピース４３の外側に被せる外側マウスピース４２とを備え、外側マウスピース４２と内側マウスピース４３とを内外に二重に重ね合わせた構造を有している。
【００３５】
内側マウスピース４３と外側マウスピース４２の材料としては、マウスピース材料として普通に用いられ、衛生面の安全性が保証された材料、例えば高分子材料であるＥＶＡ（エチレン酢酸ビニル樹脂）、熱可塑性プラスチック、熱可塑性選エラストマー、シリコーンゴム等の材料を用いることが、歯や歯肉へのアレルギー等の影響を抑えることができるので好ましい。
【００３６】
なお、外側マウスピース４２と内側マウスピース４３との材料としてはＥＶＡシートに限られるものではないが、ＥＶＡシートは電気的絶縁性が確保され、断熱材としも機能するためにより好ましい。特に内側マウスピース４３にＥＶＡシートを用いると、内側マウスピース４３に軟質性を持たせることができ、これによって、永久磁石１０１，１０２によって付与されるトルクによって、矯正対象の歯の損傷を防止することが可能となる。
【００３７】
図８に示すように、外側マウスピース４２の凸部４１に永久磁石１０１を入れると共に、内側マウスピース４３の凸部４４に永久磁石１０２を入れ、内側マウスピース４３を外側マウスピース４２に貼り合わせる。これにより、永久磁石１０１，１０２がマウスピース４０に取り付けられることになる。ここで、外側マウスピース４２と内側マウスピース４３とは、例えば、超音波用着や接着等を用いて水密に接合して一体化される。その結果、外側マウスピース４２と内側マウスピース４３との内面に唾液や洗浄水等が侵入することが防止され、凸部４１，４４の内部に唾液や洗浄水等が侵入することが防止される。
【００３８】
なお、図６の場合、永久磁石１０１，１０２をマウスピース４０に取り付けたが、これに限定されず、歯３ａに対して永久磁石１０１，１０２を直接貼り付けても良い。但し、この場合、図６（ｂ）に示すように、永久磁石１０１のＮ極に位置する歯３ａ表面の作用点Ｐ２´に力Ｆｓとは正反対の力が作用し、また、永久磁石１０２のＳ極に位置する歯３ａの裏面の作用点Ｐ１´に力Ｆｎとは正反対の力が作用し、これらの力によって、歯３ａは、上面視において左回りのトルクが付与されることになる。
【００３９】
しかしながら、作用点Ｐ１´，Ｐ２´に作用する力は、歯３ａの外側に向かう力であるため、図６に示すように、永久磁石１０１，１０２をマウスピース４０に取り付けると、作用点Ｐ１´，Ｐ２´に作用する力は、歯３ａに直接作用しない。そのため、永久磁石１０１，１０２は、マウスピース４０に取り付けることが好ましい。
【００４０】
図９は、矯正対象となる歯３ａに対して、２個の永久磁石１０１，１０２を取り付けたときの歯３ａを示した図であり、（ａ）は歯３ａの左側面図を示し、（ｂ）は歯３ａの上面から断面図を示し、（ｃ）は歯３ａの正面図を示している。図９に示すｘ〜ｚ方向は図３に示す方向と同一であるため、説明を省く。図９の場合、（ａ）に示すように、歯３ａに対して左側面視で左回りのトルクを与えて左回りに回転させ、実線で示す現在の歯３ａの向きを、所定角度左回りに回転させた点線で示す歯３ａの向きに移動させる。なお、図９において、永久磁石１０１，１０２は、マウスピース４０を介して歯３ａにトルクを与える。
【００４１】
そのためには、図９（ａ）に示すように、歯３ａの表面の下端側において、磁気モーメントＭが下側から上側に向かうように永久磁石１０１を取り付けると共に、歯３ａの裏面の上端側において、磁気モーメントＭが下側から上側に向かうように、永久磁石１０２を取り付ける。そして、（ａ）に示すように、歯３ａの裏面側から表面側の方向（−ｙ方向）に磁界Ｈを付与する。これにより、歯３ａは、（ａ）に示すように、永久磁石１０２のＮ極が位置する裏面の作用点Ｐ１に、歯３ａの裏面から表面の方向（−ｙ方向）に力Ｆｎが付与され、永久磁石１０１のＳ極に位置する表面の作用点Ｐ２に、表面から裏面の方向（＋ｙ方向）に力Ｆｓが付与され、歯３ａには、左側面視で左回りのトルクが付与される。その結果、歯３ａは、左側面視で左回りへの回転が誘発され、最終的に、歯３ａの向きは、実線で示す向きから点線で示す向きに移動し、歯３ａの捻れが矯正される。
【００４２】
なお、図９において、永久磁石１０１，１０２をマウスピース４０に取り付けたが、これに限定されず、歯３ａに対して直接貼り付けても良い。但し、この場合、永久磁石１０１のＮ極に位置する歯３ａ表面の作用点Ｐ２´に力Ｆｓとは正反対の力が作用し、また、永久磁石１０２のＳ極に位置する歯３ａの裏面の作用点Ｐ１´に力Ｆｎとは正反対の力が作用するが、これらの力によって、歯３ａは、左側面視において右回りのトルクが付与されることになる。
【００４３】
しかしながら、作用点Ｐ１´，Ｐ２´に作用する力は、歯３ａの外側に向かう力であるため、図９に示すように、永久磁石１０１，１０２をマウスピース４０に取り付けると、作用点Ｐ１´，Ｐ２´に作用する力は、歯３ａに直接作用しない。そのため、永久磁石１０１，１０２は、マウスピース４０に取り付けることが好ましい。
【００４４】
以上説明したように、本実施の形態による歯列矯正装置１によれば、矯正対象となる歯３ａに対してトルクを付与し、歯３ａの捻れを元に戻すことができる。また、永久磁石により、歯３ａにトルクを付与しているため、磁界によって永久磁石を駆動させることが可能となり、永久磁石に対して電気的な配線等を取り付けなくとも、歯３ａにトルクを付与することができる。
【００４５】
なお、図３〜５において、永久磁石１０は歯３ａに対して直接貼り付けられているが、これに限定されず、マウスピース４０に取り付けても良い。
【００４６】
また、上記実施の形態では、電流生成部３０は、直流電流を生成したが、これに限定されず、交流電流を生成してもよい。この場合、永久磁石は、交流磁界を受けることとなり、付与されるトルクの方向が経時的に変化してしまい、歯３ａに対して一定方向のトルクを付与することが困難となる。そこで、電流生成部３０は、トルクが歯３ａに対して矯正したい方向と反対方向とに向かないような交流電流を生成すればよい。具体的には、トルクが矯正したい方向と反対方向に向かうときは、交流電流の振幅を０としてトルクがかからないようにし、トルクが矯正したい方向に向かうときは交流電流の振幅を所定のレベルとしてトルクを付与するような、すなわち、周期的にオン・オフを繰り返すような交流電流を生成することが好ましい。このような、交流的な機械的刺激を歯３ａに与えると、骨リモデリング活動が活発化され、歯の移動が加速し、矯正期間を短縮することができる。なお、歯に交流的な機械的刺激を与えると、歯の移動が加速されることに関しては、「清水：日矯歯誌４５：５６−７２，１９８６」、「大前他：日本矯正歯科学会雑誌，６０（４）：２０１，２００１」等の文献に開示されている。
【００４７】
また、図６，図９では、マウスピース４０として、歯列３全体を覆うマウスピースを例示したが、これに限定されず、矯正対象となる歯が含まれるように、歯列３の一部を覆うサイズのものであってもよいし、矯正対象となる歯３ａのみを覆うサイズであってもよい。
【００４８】
上記実施の形態では、矯正対象となる歯は１本であったが、これは一例にすぎず、複数本の歯を矯正対象の歯としてもよい。
【００４９】
また、上記実施の形態では、歯３ａの表面及び／又は裏面に永久磁石を取り付けた場合を例示したが、これに限定されず、歯３ａの側面に永久磁石を取り付けてもよい。この場合も、上記実施の形態で示した場合と同様、矯正したい方向にトルクが付与されるように永久磁石の取り付け方向と磁界の方向とを定めればよい。
【図面の簡単な説明】
【００５０】
【図１】本発明の実施の形態による歯列矯正装置１の全体構成図を示している。
【図２】電流生成部３０の詳細な構成を示すブロック図である。
【図３】矯正対象となる歯３ａに対して、長手方向が正面視で左右方向に向くように永久磁石１０を取り付けたときの歯３ａを示した図であり、（ａ）は歯３ａの左側面図を示し、（ｂ）は歯３ａの上面から断面図を示し、（ｃ）は歯３ａの正面図を示している。
【図４】矯正対象となる歯３ａに対して、長手方向が正面視で上下方向となるように永久磁石１０を取り付けたときの歯３ａを示した図であり、（ａ）は歯３ａの左側面図を示し、（ｂ）は歯３ａの上面から断面図を示し、（ｃ）は歯３ａの正面図を示している。
【図５】矯正対象となる歯３ａに対して、長手方向が正面視で上下方向を向くように永久磁石１０を取り付けたときの歯３ａを示した図であり、（ａ）は歯３ａの左側面図を示し、（ｂ）は歯３ａの上面からの断面図を示し、（ｃ）は歯３ａの正面図を示している。
【図６】矯正対象となる歯３ａに対して、２個の永久磁石１０を取り付けたときの歯３ａを示した図であり、（ａ）は歯３ａの左側面図を示し、（ｂ）は歯３ａの上面から断面図を示し、（ｃ）は歯３ａの正面図を示している。
【図７】永久磁石１０１，１０２が取り付けられるマウスピース４０を表側から見たときの分解斜視図を示している。
【図８】マウスピース４０を裏側から見たときの分解斜視図を示している。
【図９】矯正対象となる歯３ａに対して、２個の永久磁石１０１，１０２を取り付けたときの歯３ａを示した図であり、（ａ）は歯３ａの左側面図を示し、（ｂ）は歯３ａの上面から断面図を示し、（ｃ）は歯３ａの正面図を示している。
【符号の説明】
【００５１】
１  歯列矯正装置
３ａ  歯
３  歯列
１０  永久磁石
２０  コイル
２１  電線
２２  ボビン
３０  電流生成部
３１  制御装置
３２  コンバータ
３３  アンプ
４０  マウスピース
４１，４４  凸部
４２  外側マウスピース
４３  内側マウスピース
１０１，１０２  永久磁石
【図１】
2007260159.tif 000003
【図２】
2007260159.tif 000004
【図３】
2007260159.tif 000005
【図４】
2007260159.tif 000006
【図５】
2007260159.tif 000007
【図６】
2007260159.tif 000008
【図７】
2007260159.tif 000009
【図８】
2007260159.tif 000010
【図９】
2007260159.tif 000011